(57)【要約】【課題】市場に流通している写真フィルムのパトローネのリユースを可能とするフィルム装填技術を実現する。【解決手段】フィルム脱着片を用いて、パトローネに残留している尾端フィルムの除去及び新フィルムのパトローネへの挿入、係止を行う。【選択図】        図９
2004246024.tif 000002
【特許請求の範囲】
【請求項１】
スプールの係止部材と押さえリブ間に、フィルム脱着片の案内片先端部を挿入することにより、尾端フィルムの前記係止部による係止を解除し、
尾端フィルムを前記スプールから抜き出した後に、前記フィルム脱着片に案内させて新フィルムを前記係止部材と前記押さえリブ間に挿入し、
次に、前記フィルム脱着片を抜き出すことにより、新フィルムの尾端を前記係止部に係止させることを特徴とするフィルムのパトローネへの装填方法。
【請求項２】
前記フィルム脱着片は、基部及びスリットにより分離された一対の前記案内片を有することを特徴とする請求項１に記載のフィルムのパトローネへの装填方法。
【請求項３】
前記案内片は、狭い第１スリットにより分離された幅広の案内基部及び広い第２スリットにより形成された幅狭の前記案内先端部を有することを特徴とする請求項１または請求項２に記載のフィルムのパトローネへの装填方法。
【請求項４】
前記フィルム脱着片は、厚さ０．１〜０．３ｍｍの可撓性フィルムからなることを特徴とする請求項１〜３のいずれか１項に記載のフィルムのパトローネへの装填方法。
【請求項５】
フィルム幅中方向央部に前記押さえリブと、フィルム幅方向に間隔を置いて前記押さえリブの両側に配置された一対の前記係止部材とがそれぞれ設けられた前記スプールを有する前記パトローネを用い、前記第１スリットの幅Ｘ１と、前記一対の係止部材の内側壁間の間隔Ｍとが、Ｘ１＜Ｍの関係を満たすことを特徴とする請求項３または請求項４に記載のフィルムのパトローネへの装填方法。
【請求項６】
フィルム幅中央部に前記押さえリブと、フィルム幅方向に間隔を置いて配置された一対の前記係止部材とがそれぞれ設けられた前記スプールを有する前記パトローネを用い、前記第２スリットの幅Ｘ２と、前記押さえリブのフィルム幅方向の幅Ｔと、前記一対の前記係止部材の外側壁間の間隔Ｎとが、Ｔ＜Ｘ２＜Ｎの関係を満たすことを特徴とする請求項３〜５のいずれか１項に記載のフィルムのパトローネへの装填方法。
【請求項７】
尾端フィルムのデタッチにおいて、前記案内基部が前記係止部材と前記押さえリブが対向する位置に位置づけられ、新フィルムの挿入工程において、前記案内先端部が、前記係止部材と前記押さえリブが対向する位置に位置づけられることを特徴とする請求項３〜６のいずれか１項に記載のフィルムのパトローネへの装填方法。
【請求項８】
尾端フィルムの抜き出しから新フィルムの挿入の間に、前記フィルム脱着片の、前記パトローネのテレンプに接触する部分の実効幅が狭く形成されていることを特徴とする請求項２〜７のいずれか１項に記載のフィルムのパトローネへの装填方法。
【請求項９】
尾端フィルムの抜き出しから新フィルムの挿入のまでの間に、前記フィルム脱着片が前記パトローネのテレンプに接触する部分よりもフィルム挿入方向前方部に、屈曲しやすい部分を設けることにより、前記接触する部分における前記フィルム脱着片の屈曲を抑制することを特徴とする請求項２〜８のいずれか１項に記載のフィルムのパトローネへの装填方法。
【請求項１０】
前記フィルム脱着片を後方案内部と前方案内部で形成し、該後方案内部と該前方案内部間に、切り込みを入れることにより、屈曲しやすい境界部を形成するとともに、該境界部に挿入方向と反対側で、且つ、パトローネ胴部側に突出する突出部を形成し、該突出部により、前記前方案内部の垂れ下がりを抑制したことを特徴とする請求項２〜９のいずれか１項に記載のフィルムのパトローネへの装填方法。
【請求項１１】
前記フィルム脱着片は、その挿入時に、先端が尾端フィルムに確実に接触するように屈曲していることを特徴とする請求項１〜１０のいずれか１項に記載のフィルムのパトローネへの装填方法。
【請求項１２】
厚さ０．１〜０．３ｍｍの可撓性フィルムからなり、基部及びスリットにより分離され、尾端フィルムの係止孔を覆うことができる一対の案内片からなることを特徴とするフィルム脱着片。
【請求項１３】
前記案内片は、狭い幅の第１スリットにより分離された幅広の案内基部及び広い幅の第２スリットにより形成された幅狭の案内先端部を有することを特徴とする請求項１２に記載のフィルム脱着片。
【請求項１４】
フィルム幅方向中央部に押さえリブと、フィルム幅方向に間隔を置いて前記押さえリブの両側に配置された一対の係止部材とがそれぞれ設けられたスプールを有するパトローネに対して、前記第１スリットの幅Ｘ１と、前記一対の係止部材の内側壁間の間隔Ｍとは、Ｘ１＜Ｍの関係を満たすことを特徴とする請求項１３に記載のフィルム脱着片。
【請求項１５】
フィルム幅方向中央部に押さえリブと、フィルム幅方向に間隔を置いて前記長リブの両側に配置された一対の係止部材がそれぞれ設けられた前記スプールを有する前記パトローネに対して、前記第２スリットの幅Ｘ２と、前記押さえリブのフィルム幅方向の幅Ｔと、前記一対の前記係止部材の外側壁間の間隔Ｎとは、Ｔ＜Ｘ２＜Ｎの関係を満たすことを特徴とする請求項１３または請求項１４に記載のフィルム脱着片。
【請求項１６】
前記基部に、実効幅が狭く形成されている部分を設けたことを特徴とする請求項１２〜１５のいずれか１項に記載のフィルム脱着片。
【請求項１７】
後方案内部及び前方案内部を有し、該後方案内部と該前方案内部間の境界部を屈曲しやすくしたことを特徴とする請求項１２〜１６のいずれか１項に記載のフィルム脱着片。
【請求項１８】
切り込みを入れることにより、屈曲しやすい前記境界部を形成し、該切り込みにより、屈曲時に、挿入方向後方側で、且つ、パトローネ胴部側に突出する突出部が形成されるようにしたことを特徴とする請求項１７に記載のフィルム脱着片。
【請求項１９】
パトローネへの挿入時に、該パトローネ内に存在する尾端フィルムに確実に接触するように、先端部が屈曲していることを特徴とする請求項１２〜１８のいずれか１項に記載のフィルム脱着片。
【請求項２０】
スプール軸内に設けられ、フィルム幅方向に間隔を置いて設けられた係止部材及び該フィルム幅方向の中央部に設けられた押さえリブを有し、該係止部と該押さえリブとにより形成されたスリットに臨む前記係止部材の頂部と、前記押さえリブの頂部とが、オーバーラップしないように、前記頂部が形成されたことを特徴とするパトローネ。
【請求項２１】
前記頂部間の間隔Ｇは、０＜Ｇ＜０．２ｍｍであることを特徴とする請求項２０に記載のパトローネ。
【請求項２２】
前記係止部の案内面の傾斜度θは、１５°＜θ＜３５°であることを特徴とする請求項２０または請求項２１に記載のパトローネ。
【請求項２３】
スプール軸の挿入スリットの位相を外部から確認可能にするための表示手段を設けたことを特徴とする請求項２０〜２２のいずれか１項に記載のパトローネ。
【請求項２４】
パトローネ支持部、フィルム脱着片を支持する脱着片支持部材、尾端フィルムを保持する保持爪を有するフィルム保持部材及び駆動部材を有し、該脱着片支持部材、該フィルム保持部材及び該駆動部材が、フィルム及びフィルム脱着片のパトローネへの挿入方向に沿って、前後に移動可能に設けられたことを特徴とする脱着ユニット。
【請求項２５】
前記脱着片支持部材、前記フィルム保持部材及び該駆動部材のそれぞれに、これら部材を前記挿入方向と反対の方向に付勢するバネを設けたことを特徴とする請求項２４に記載の脱着ユニット。
【請求項２６】
挿入方向最前方位置に移動したときに、前記脱着片支持部材に支持されたフィルム脱着片は、その先端がパトローネのスプール内の所定位置に挿入されているように、前記フィルム保持部材を位置決めする位置決め手段を有することを特徴とする請求項２４または請求項２５に記載の脱着ユニット。
【請求項２７】
挿入方向最前方位置に移動したときに、前記フィルム保持部材の保持爪は、パトローネに係止されている尾端フィルムのパーフォレーションに係合することができることを特徴とする請求項２４〜２６のいずれか１項に記載の脱着ユニット。
【請求項２８】
前記駆動部材は、その前記挿入方向の移動により、前記脱着片支持部材及び前記フィルム保持部材を駆動することを特徴とする請求項２４〜２７のいずれか１項に記載の脱着ユニット。
【請求項２９】
前記脱着片支持部材は、パトローネに最も接近した第１作動位置、前記パトローネから離れ、前記フィルム脱着片を前記パトローネから抜き出した非作動位置及び前記第１作動位置と前記非作動位置間の中間で、前記フィルム脱着片を前記パトローネ内に挿入している第２作動位置とに設定可能であることを特徴とする請求項２４〜２８のいずれか１項に記載の脱着ユニット。
【請求項３０】
前記脱着片支持部材を前記第２作動位置に係止するロック部材を有することを特徴とする請求項２９に記載の脱着ユニット。
【請求項３１】
パトローネを所定の姿勢で前記支持部材に設定するパトローネ押さえ部材を有することを特徴とする請求項２４〜３０のいずれか１項に記載の脱着ユニット。
【請求項３２】
新フィルム先端部をパトローネ内に送るフィルム送りローラを構成する下ローラを有することを特徴とする請求項２４〜３１の脱着ユニット。
【請求項３３】
前記パトローネ押さえ部材は、パトローネの回転を防止する摩擦部材を有することを特徴とする請求項３１に記載の脱着ユニット。
【請求項３４】
前記保持爪の、尾端フィルム抜き出し時にパーフォレーションに接触する部分は、角部のない曲面で形成されていることを特徴とする請求項２４〜３３のいずれか１項に記載の脱着ユニット。
【請求項３５】
新フィルムを、前記フィルム送りローラに案内する案内部材を有する請求項３２に記載の脱着ユニット。
【請求項３６】
脱着ユニットを支持する支持台、
前記脱着ユニットに装着されたパトローネのスプール軸に係合する駆動軸及び前記脱着ユニットの下ローラと接触してフィルム送りローラを形成する上ローラを有することを特徴とするフィルム装填治具。
【請求項３７】
フィルム脱着片をパトローネ内に挿入して尾端フィルムをデタッチする工程、
前記フィルム脱着片が挿入され、前記尾端フィルムがデタッチされた前記パトローネに新フィルムをアタッチする工程及び、
前記パトローネのスプールに前記新フィルムを巻き取る工程を、
暗室において行うことを特徴とするフィルムのパトローネへの装填方法。
【請求項３８】
フィルム脱着片をパトローネ内に挿入して尾端フィルムをデタッチする工程を明室において行い、
前記フィルム脱着片が挿入され、前記尾端フィルムがデタッチされた前記パトローネに新フィルムをアタッチする工程及び、
前記パトローネのスプールに前記新フィルムを巻き取る工程を暗室において行うことを特徴とするフィルムのパトローネへの装填方法。
【請求項３９】
フィルム脱着片をパトローネ内に挿入して尾端フィルムをデタッチする工程、
前記フィルム脱着片が挿入され、前記尾端フィルムがデタッチされた前記パトローネに新フィルムをアタッチする工程及び、
前記パトローネのスプールに前記新フィルムを巻き取る工程を、
実行するフィルムのパトローネへの装填方法であって、
前記新フィルムを巻き取るのに先立って、前記新フィルムをデタッチ方向に引くことにより、前記新フィルムの尾端が前記スプールに係止されていることを確認することを特徴とするフィルムのパトローネへの装填方法。
【請求項４０】
パトローネ支持部、フィルム脱着片を支持する脱着片支持部材、尾端フィルムを保持する保持爪を有するフィルム保持部材及び駆動部材を有する脱着ユニットを用い、
前記フィルム保持部材を前記パトローネ支持部に支持された前記パトローネに接近させて、尾端フィルムを前記フィルム保持部材に保持させる工程及び、
前記パトローネ支持部に支持されたパトローネに前記フィルム脱着片を接近させて、前記フィルム脱着片を前記パトローネに挿入する工程を、
作業者が行うことを特徴とするフィルムのパトローネへの装填方法。
【請求項４１】
パトローネ支持部、フィルム脱着片を支持する脱着片支持部材、尾端フィルムを保持する保持爪を有するフィルム保持部材及び駆動部材を有する脱着ユニットを用い、
前記フィルム保持部材を前記パトローネ支持部に支持された前記パトローネに接近させて、尾端フィルムを前記フィルム保持部材に保持させる工程及び、
前記パトローネ支持部に支持されたパトローネに前記フィルム脱着片を接近させて、前記フィルム脱着片を前記パトローネに挿入する工程を、
機械が行うことを特徴とするフィルムのパトローネへの装填方法。
【発明の詳細な説明】
【０００１】
【発明の属する技術分野】
本発明は、パトローネのリユース技術に関する。すなわち、現像所から回収されたパトローネに新フィルムを装填する技術に関し、さらに、リユースに適したパトローネに関する。
【０００２】
【従来の技術】
写真フィルム（以下フィルムと言う）をパトローネに装填し、カメラに使用される形態とされたフィルム製品は、予め用意された空のパトローネのスプールに新フィルムを所定長巻き付けることにより製造されるが、フィルムを感光させないために暗室下で行われ、写真フィルム特有の製造技術及び設備が必要になる。
【０００３】
このために、特許文献１、２等に記載された様々なフィルム巻き付け技術が開発されている。
【０００４】
近時、省資源の観点や廃棄物の圧縮の観点から、パトローネのリユース技術が注目され、開発されている。
【０００５】
特許文献３〜５では、現像所において、画像部が取り除かれ尾端フィルムが残留したパトローネから尾端フィルムを除去する技術が提案されている。
【０００６】
また、特許文献６では、パトローネのスプールに固定されている、フィルム後端をカットすることなく、フィルムをパトローネから取り出す技術が提案されている。
【０００７】
【特許文献１】
特開昭５１−１３６４２４号公報
【０００８】
【特許文献２】
特開昭５２−７７７２３号公報
【０００９】
【特許文献３】
特開平６−１２３９３９号公報
【００１０】
【特許文献４】
特開平５−２６５１４０号公報
【００１１】
【特許文献５】
特開平５−３４１４４４号公報
【００１２】
【特許文献６】
特開平６−３５１２３号公報
【００１３】
【発明が解決しようとする課題】
従来のパトローネリユース技術においては、パトローネをリユースに適した物として新たに、設計し製造することが前提となっていた。すなわち、特許文献３〜５においては、画像部が切り離された尾端フィルムを除去しやすいような、従来にない新設計のパトローネが用いられている。また、特許文献６では、撮影済みのフィルムを、パトローネに固定されている尾端部から切り離すことなく、取り出す技術が提案されている。
【００１４】
特許文献３〜５に記載された技術では、従来にはない新規なパトローネが用いられるために、従来のパトローネについては、従来どおりの技術を用いなければならず、市場に流通しているフィルム製品に適用することができないという問題がある。
【００１５】
特許文献６に記載の技術も同様であり、現像所から回収された尾端フィルム付のパトローネには適用できないために、市場に流通しているフィルム製品には、有効に使用できないという問題がある。
【００１６】
本発明は、パトローネのリユースに関する従来技術におけるこのような問題を解決することを目的とし、現像所から回収されたパトローネに対して、簡単な装填工程で、新フィルムを装填することを可能にすることにより、市場に流通しているパトローネを処理することが可能であり、現在の流通形態に適用することが可能な、パトローネのリユース技術を提供することを目的とする。
【００１７】
【課題を解決するための手段】
本発明の目的は下記の発明により達成される。
【００１８】
１．スプールの係止部材と押さえリブ間に、フィルム脱着片の案内片先端部を挿入することにより、尾端フィルムの前記係止部による係止を解除し、
尾端フィルムを前記スプールから抜き出した後に、前記フィルム脱着片に案内させて新フィルムを前記係止部材と前記押さえリブ間に挿入し、
次に、前記フィルム脱着片を抜き出すことにより、新フィルムの尾端を前記係止部に係止させることを特徴とするフィルムのパトローネへの装填方法。
【００１９】
２．前記フィルム脱着片は、基部及びスリットにより分離された一対の前記案内片を有することを特徴とする前記１に記載のフィルムのパトローネへの装填方法。
【００２０】
３．前記案内片は、狭い第１スリットにより分離された幅広の案内基部及び広い第２スリットにより形成された幅狭の前記案内先端部を有することを特徴とする前記１または前記２に記載のフィルムのパトローネへの装填方法。
【００２１】
４．前記フィルム脱着片は、厚さ０，１〜０．３ｍｍの可撓性フィルムからなることを特徴とする前記１〜３のいずれか１項に記載のフィルムのパトローネへの装填方法。
【００２２】
５．フィルム幅中方向央部に前記押さえリブと、フィルム幅方向に間隔を置いて前記押さえリブの両側に配置された一対の前記係止部材とがそれぞれ設けられた前記スプールを有する前記パトローネを用い、前記第１スリットの幅Ｘ１と、前記一対の係止部材の内側壁間の間隔Ｍとが、Ｘ１＜Ｍの関係を満たすことを特徴とする前記３または前記４に記載のフィルムのパトローネへの装填方法。
【００２３】
６．フィルム幅中央部に前記押さえリブと、フィルム幅方向に間隔を置いて配置された一対の前記係止部材とがそれぞれ設けられた前記スプールを有する前記パトローネを用い、前記第２スリットの幅Ｘ２と、前記押さえリブのフィルム幅方向の幅Ｔと、前記一対の前記係止部材の外側壁間の間隔Ｎとが、Ｔ＜Ｘ２＜Ｎの関係を満たすことを特徴とする前記３〜５のいずれか１項に記載のフィルムのパトローネへの装填方法。
【００２４】
７．尾端フィルムのデタッチにおいて、前記案内基部が前記係止部材と前記押さえリブが対向する位置に位置づけられ、新フィルムの挿入工程において、前記案内先端部が、前記係止部材と前記押さえリブが対向する位置に位置づけられることを特徴とする前記３〜６のいずれか１項に記載のフィルムのパトローネへの装填方法。
【００２５】
８．尾端フィルムの抜き出しから新フィルムの挿入の間に、前記フィルム脱着片の、前記パトローネのテレンプに接触する部分の実効幅が狭く形成されていることを特徴とする前記２〜７のいずれか１項に記載のフィルムのパトローネへの装填方法。
【００２６】
９．尾端フィルムの抜き出しから新フィルムの挿入のまでの間に、前記フィルム脱着片が前記パトローネのテレンプに接触する部分よりもフィルム挿入方向前方部に、屈曲しやすい部分を設けることにより、前記接触する部分における前記フィルム脱着片の屈曲を抑制することを特徴とする前記２〜８のいずれか１項に記載のフィルムのパトローネへの装填方法。
【００２７】
１０．前記フィルム脱着片を後方案内部と前方案内部で形成し、該後方案内部と該前方案内部間に、切り込みを入れることにより、屈曲しやすい境界部を形成するとともに、該境界部に挿入方向と反対側で、且つ、パトローネ胴部側に突出する突出部を形成し、該突出部により、前記前方案内部の垂れ下がりを抑制したことを特徴とする前記２〜９のいずれか１項に記載のフィルムのパトローネへの装填方法。
【００２８】
１１．前記フィルム脱着片は、その挿入時に、先端が尾端フィルムに確実に接触するように屈曲していることを特徴とする前記１〜１０のいずれか１項に記載のフィルムのパトローネへの装填方法。
【００２９】
１２．厚さ０．１〜０．３ｍｍの可撓性フィルムからなり、基部及びスリットにより分離され、尾端フィルムの係止孔を覆うことができる一対の案内片からなることを特徴とするフィルム脱着片。
【００３０】
１３．前記案内片は、狭い幅の第１スリットにより分離された幅広の案内基部及び広い幅の第２スリットにより形成された幅狭の案内先端部を有することを特徴とする前記１２に記載のフィルム脱着片。
【００３１】
１４．フィルム幅方向中央部に押さえリブと、フィルム幅方向に間隔を置いて前記押さえリブの両側に配置された一対の係止部材とがそれぞれ設けられたスプールを有するパトローネに対して、前記第１スリットの幅Ｘ１と、前記一対の係止部材の内側壁間の間隔Ｍとは、Ｘ１＜Ｍの関係を満たすことを特徴とする前記１３に記載のフィルム脱着片。
【００３２】
１５．フィルム幅方向中央部に押さえリブと、フィルム幅方向に間隔を置いて前記長リブの両側に配置された一対の係止部材がそれぞれ設けられた前記スプールを有する前記パトローネに対して、前記第２スリットの幅Ｘ２と、前記押さえリブのフィルム幅方向の幅Ｔと、前記一対の前記係止部材の外側壁間の間隔Ｎとは、Ｔ＜Ｘ２＜Ｎの関係を満たすことを特徴とする前記１３または前記１４に記載のフィルム脱着片。
【００３３】
１６．前記基部に、実効幅が狭く形成されている部分を設けたことを特徴とする前記１２〜１５のいずれか１項に記載のフィルム脱着片。
【００３４】
１７．後方案内部及び前方案内部を有し、該後方案内部と該前方案内部間の境界部を屈曲しやすくしたことを特徴とする前記１２〜１６のいずれか１項に記載のフィルム脱着片。
【００３５】
１８．切り込みを入れることにより、屈曲しやすい前記境界部を形成し、該切り込みにより、屈曲時に、挿入方向後方側で、且つ、パトローネ胴部側に突出する突出部が形成されるようにしたことを特徴とする前記１７に記載のフィルム脱着片。
【００３６】
１９．パトローネへの挿入時に、該パトローネ内に存在する尾端フィルムに確実に接触するように、先端部が屈曲していることを特徴とする前記１２〜１８のいずれか１項に記載のフィルム脱着片。
【００３７】
２０．スプール軸内に設けられ、フィルム幅方向に間隔を置いて設けられた係止部材及び該フィルム幅方向の中央部に設けられた押さえリブを有し、該係止部と該押さえリブとにより形成されたスリットに臨む前記係止部材の頂部と、前記押さえリブの頂部とが、オーバーラップしないように、前記頂部が形成されたことを特徴とするパトローネ。
【００３８】
２１．前記頂部間の間隔Ｇは、０＜Ｇ＜０．２ｍｍであることを特徴とする前記２０に記載のパトローネ。
【００３９】
２２．前記係止部の案内面の傾斜度θは、１５°＜θ＜３５°であることを特徴とする前記２０または前記２１に記載のパトローネ。
【００４０】
２３．スプール軸の挿入スリットの位相を外部から確認可能にするための表示手段を設けたことを特徴とする前記２０〜２２のいずれか１項に記載のパトローネ。
【００４１】
２４．パトローネ支持部、フィルム脱着片を支持する脱着片支持部材、尾端フィルムを保持する保持爪を有するフィルム保持部材及び駆動部材を有し、該脱着片支持部材、該フィルム保持部材及び該駆動部材が、フィルム及びフィルム脱着片のパトローネへの挿入方向に沿って、前後に移動可能に設けられたことを特徴とする脱着ユニット。
【００４２】
２５．前記脱着片支持部材、前記フィルム保持部材及び該駆動部材のそれぞれに、これら部材を前記挿入方向と反対の方向に付勢するバネを設けたことを特徴とする前記２４に記載の脱着ユニット。
【００４３】
２６．挿入方向最前方位置に移動したときに、前記脱着片支持部材に支持されたフィルム脱着片は、その先端がパトローネのスプール内の所定位置に挿入されているように、前記フィルム保持部材を位置決めする位置決め手段を有することを特徴とする前記２４または前記２５に記載の脱着ユニット。
【００４４】
２７．挿入方向最前方位置に移動したときに、前記フィルム保持部材の保持爪は、パトローネに係止されている尾端フィルムのパーフォレーションに係合することができることを特徴とする前記２４〜２６のいずれか１項に記載の脱着ユニット。
【００４５】
２８．前記駆動部材は、その前記挿入方向の移動により、前記脱着片支持部材及び前記フィルム保持部材を駆動することを特徴とする前記２４〜２７のいずれか１項に記載の脱着ユニット。
【００４６】
２９．前記脱着片支持部材は、パトローネに最も接近した第１作動位置、前記パトローネから離れ、前記フィルム脱着片を前記パトローネから抜き出した非作動位置及び前記第１作動位置と前記非作動位置間の中間で、前記フィルム脱着片を前記パトローネ内に挿入している第２作動位置とに設定可能であることを特徴とする前記２４〜２８のいずれか１項に記載の脱着ユニット。
【００４７】
３０．前記脱着片支持部材を前記第２作動位置に係止するロック部材を有することを特徴とする前記２９に記載の脱着ユニット。
【００４８】
３１．パトローネを所定の姿勢で前記支持部材に設定するパトローネ押さえ部材を有することを特徴とする前記２４〜３０のいずれか１項に記載の脱着ユニット。
【００４９】
３２．新フィルム先端部をパトローネ内に送るフィルム送りローラを構成する下ローラを有することを特徴とする前記２４〜３１の脱着ユニット。
【００５０】
３３．前記パトローネ押さえ部材は、パトローネの回転を防止する摩擦部材を有することを特徴とする前記３１に記載の脱着ユニット。
【００５１】
３４．前記保持爪の、尾端フィルム抜き出し時にパーフォレーションに接触する部分は、角部のない曲面で形成されていることを特徴とする前記２４〜３３のいずれか１項に記載の脱着ユニット。
【００５２】
３５．新フィルムを、前記フィルム送りローラに案内する案内部材を有する前記３２に記載の脱着ユニット。
【００５３】
３６．脱着ユニットを支持する支持台、
前記脱着ユニットに装着されたパトローネのスプール軸に係合する駆動軸及び前記脱着ユニットの下ローラと接触してフィルム送りローラを形成する上ローラを有することを特徴とするフィルム装填治具。
【００５４】
３７．フィルム脱着片をパトローネ内に挿入して尾端フィルムをデタッチする工程、
前記フィルム脱着片が挿入され、前記尾端フィルムがデタッチされた前記パトローネに新フィルムをアタッチする工程及び、
前記パトローネのスプールに前記新フィルムを巻き取る工程を、
暗室において行うことを特徴とするフィルムのパトローネへの装填方法。
【００５５】
３８．フィルム脱着片をパトローネ内に挿入して尾端フィルムをデタッチする工程を明室において行い、
前記フィルム脱着片が挿入され、前記尾端フィルムがデタッチされた前記パトローネに新フィルムをアタッチする工程及び、
前記パトローネのスプールに前記新フィルムを巻き取る工程を暗室において行うことを特徴とするフィルムのパトローネへの装填方法。
【００５６】
３９．フィルム脱着片をパトローネ内に挿入して尾端フィルムをデタッチする工程、
前記フィルム脱着片が挿入され、前記尾端フィルムがデタッチされた前記パトローネに新フィルムをアタッチする工程及び、
前記パトローネのスプールに前記新フィルムを巻き取る工程を、
実行するフィルムのパトローネへの装填方法であって、
前記新フィルムを巻き取るのに先立って、前記新フィルムをデタッチ方向に引くことにより、前記新フィルムの尾端が前記スプールに係止されていることを確認することを特徴とするフィルムのパトローネへの装填方法。
【００５７】
４０．パトローネ支持部、フィルム脱着片を支持する脱着片支持部材、尾端フィルムを保持する保持爪を有するフィルム保持部材及び駆動部材を有する脱着ユニットを用い、
前記フィルム保持部材を前記パトローネ支持部に支持された前記パトローネに接近させて、尾端フィルムを前記フィルム保持部材に保持させる工程及び、
前記パトローネ支持部に支持されたパトローネに前記フィルム脱着片を接近させて、前記フィルム脱着片を前記パトローネに挿入する工程を、
作業者が行うことを特徴とするフィルムのパトローネへの装填方法。
【００５８】
４１．パトローネ支持部、フィルム脱着片を支持する脱着片支持部材、尾端フィルムを保持する保持爪を有するフィルム保持部材及び駆動部材を有する脱着ユニットを用い、
前記フィルム保持部材を前記パトローネ支持部に支持された前記パトローネに接近させて、尾端フィルムを前記フィルム保持部材に保持させる工程及び、
前記パトローネ支持部に支持されたパトローネに前記フィルム脱着片を接近させて、前記フィルム脱着片を前記パトローネに挿入する工程を、
機械が行うことを特徴とするフィルムのパトローネへの装填方法。
【００５９】
【発明の実施の形態】
最初に、尾端フィルムを示す図１及びパトローネを示す図２により、パトローネの構造を説明する。
【００６０】
現像所において、画像部が除去されたパトローネ１０には、尾端フィルムＥＦが残留している。
【００６１】
パトローネ１０は、筒状の胴部１１、筒の両端で容器を密閉する一対のキャップ１２、１３、尾端フィルムＥＦを係止する係止部材１４、押さえリブ１５、光がパトローネ内に進入することを防止する遮光部材であるテレンプ１６及びフィルムが巻き付けられるスプール軸１７を有する。胴部１１は、筒状に成形された金属板からなり、嘴状の出入部１１ａを有し、テレンプ１６は出入部１１ａの内側に貼り付けられる。係止部材１４、押さえリブ１５及びスプール軸１７はスプールを形成し、係止部材１４は尾端フィルムＥＦの尾端に設けられた２個の係止孔ＳＡに係合して尾端フィルムＥＦを係止する係止鈎１４ａ（図６に示し後に説明する）を有する。
【００６２】
次に、本発明の実施の形態に係るフィルムのパトローネへの装填方法、すなわち尾端フィルムを除去し、新フィルムを装着する方法を該方法の各行程を示す図３、４、フィルム脱着片を示す図５及び係止部材の拡大図である図６により説明する。なお以下において、尾端フィルムの除去をデタッチといい、新フィルムの装着をアタッチと言う。また、フィルム脱着片２０は、図３、４において、尾端フィルムＥＦとの識別を容易にするために点線で示される。
【００６３】
本発明においては、図５に示すフィルム脱着片２０が用いられる。フィルム脱着片２０は、脱着ユニット（後に説明）に装着される部分である基部２０ａ、フィルムを案内する一対の案内部２０ｂを有し、案内部２０ｂは、狭い幅Ｘ１のスリットにより形成されて幅広の案内基部２０ｂ１と広い幅Ｘ２のスリットにより形成された幅狭の案内先端部２０ｂ２を有する。
【００６４】
図３のステップＳ１では、尾端フィルムＥＦがパトローネ１０内に残留しており、尾端フィルムＥＦの端部が係止部材１４により係止されている。次に、フィルム脱着片２０が挿入方向Ｗに送られて、案内部２０ｂの先端が出入部１１ａからパトローネ１０内に進入する。すなわち、ステップＳ２の状態となる。なお、フィルム脱着片２０は図示のように、尾端フィルムＥＦの下側から出入部１１ａに進入する。ステップＳ３に示すように、フィルム脱着片２０が所定のデタッチ位置まで挿入されると、フィルム脱着片２０が、係止部材１４と尾端フィルムＥＦの間に割り込んで、尾端フィルムＥＦの係止部材１４による係止を解除する。この解除動作は図６に示すようにして行われる。
【００６５】
初期状態であるステップＳ１では、尾端フィルムＥＦは図６のＳ１１に示すように係止部材１４により係止されている。すなわち、尾端フィルムＥＦの係止孔ＳＡの挿入方向前方の端縁は係止鈎１４ａにより引っかけられた状態で、尾端フィルムＥＦは係止部材１４に係止されている。
【００６６】
尾端フィルムＥＦを挿入方向Ｗに移動させることにより、ステップＳ１２に示すように、係止孔ＳＡの前記前方縁が係止鈎１４ａから外れる。次に、フィルム脱着片２０が係止部材１４の傾斜面１４ｂに沿って進入し、係止部材１４と尾端フィルムＥＦとの間に割り込み、ステップＳ１３の状態となる。ステップＳ１３では、尾端フィルムＥＦは完全に係止を解除され、抜き取り可能になる。
【００６７】
次に、ステップＳ４に示すように、尾端フィルムＥＦを抜き取ることにより、パトローネ１０内にフィルム脱着片２０が残留する。
【００６８】
次に、新フィルムＮＦが挿入される。すなわち、ステップＳ５のように、新フィルムＮＦがフィルム脱着片２０の下側からパトローネ１０内に挿入される。新フィルムＮＦは所定の装着位置まで挿入され、係止部材１４により係止される。
【００６９】
新フィルムＮＦの先端部を係止部材１４に係止させた後に、ステップＳ７に示すように、フィルム脱着片２０を抜き取り、新フィルムＮＦの先端係止は終了し、新フィルムＮＦをスプール軸１７に所定量巻き取り、切断することにより、新フィルムＮＦの装着行程が終了する。
【００７０】
図７は、図３のデタッチ及びアタッチ行程を実行する脱着ユニットの斜視図、図８は該ユニットの挿入方向Ｗに沿った断面図である。
【００７１】
脱着ユニット３０は、ユニット枠３１、脱着片支持部材３２、フィルム保持部材３４、駆動部材３６及びロック部材３７を有する。ユニット枠３１は後に説明する脱着支持部材３２、フィルム保持部材３４及び駆動部材３６を可動に支持する他、パトローネ１０を支持するパトローネ支持部３１ａ及びフィルム装填の際に新フィルムを脱着片２０に沿わせてパトローネ１０の出入部１１ａに案内する弾性片からなる案内部材３１ｂを有する。なお、案内部材３１ｂは、脱着ユニット３０でなく、後に説明する治具に設けてもよい。
【００７２】
脱着片支持部材３２及び駆動部材３６は一対の案内棒３３により移動可能に支持され、フィルム保持部材３４は一対の案内棒３５により移動可能に支持される。脱着片支持部材３２、フィルム保持部材３４、駆動部材３６をそれぞれ、引っ張り型のバネ３２ａ、３４ａ、３６ａにより挿入方向Ｗと反対方向に付勢している。図示の例では、脱着片支持部材３２、フィルム保持部材３４、駆動部材３６を作業者の手で挿入方向Ｗに移動させて脱着ユニット３０を作動させている。そして、これら部材から手を離すことにより、これら部材はバネの付勢力で挿入方向Ｗと反対方向に移動する。フィルム保持部材３４は、フィルムのパーフォレーションに係合してフィルムを係止する係止爪３４ｂを有する。
【００７３】
次に、図９により、図３、４に示したデタッチ・アタッチ行程を実行する脱着ユニット３０の作動を説明する。
【００７４】
図９のステップＳ２１に示す初期状態は、フィルム保持部材３４を、尾端フィルムＥＦを係止爪３４ｂに係止させることができる位置に設定した状態である。この状態で、尾端フィルムＥＦを、そのパーフォレーションを係止爪３４ｂに係合させることによりフィルム保持部材３４に保持させる。
【００７５】
次に、駆動部材３６を操作して、挿入方向（右向き矢印で示す方向）に移動させることにより、駆動部材３６が脱着片支持部材３２を移動させて、フィルム脱着片２０をパトローネ１０に挿入する（Ｓ２２）。ステップＳ２２は図３におけるステップＳ２に相当する。駆動部材３６をさらに操作し、脱着片支持部材３２及びフィルム保持部材３４を移動させて、これら部材３２、３４をパトローネ１０に最も近接した位置に設定する。この状態がステップＳ２３で示す状態であり、図３におけるステップＳ３に相当する。
【００７６】
ステップＳ２２からステップ２３に変化する過程は、図６におけるステップＳ１１からステップＳ１２、Ｓ１３に変化する過程である。すなわち、尾端フィルムＥＦが係止部材１４に係止されているステップＳ１１から、フィルム保持部材３４を挿入方向に移動させることにより、尾端フィルムＥＦは、若干挿入方向に移動して、係止孔ＳＡが、係止鈎１４ａの係止から解除される。
【００７７】
次に、脱着片支持部材３２、フィルム保持部材３４及び駆動部材３６から手を離すことにより、これら部材３２、３４、３６はバネの付勢で、挿入方向と反対方向（左向き矢印で示す方向）に移動して、ステップＳ２４の状態となる。ステップＳ２４では、フィルム保持部材３４及び駆動部材３６は、非作動位置である図の左端位置まで移動するが、脱着片支持部材３２は第２作動位置である３２２で示す位置で停止する。すなわち、脱着片支持部材３２は点線で示す第１作動位置である最近接位置３２１（ステップＳ２３における位置）から若干移動して停止する。これは、図８（ｂ）に示すようにロック部材３７のロック作用による。ステップＳ２４の状態は図３におけるステップＳ４に相当する。
【００７８】
次に、上ローラ４５が導入され、脱着ユニット３０に設けられた下ローラ３８に接触してフィルム送りローラを形成し、該フィルム送りローラを作動させて新フィルムＮＦをパトローネ１０内に送り込み、新フィルムＮＦをパトローネ１０に装着する（Ｓ２５）。ステップＳ２５は図４におけるステップＳ５、Ｓ６に相当する。
【００７９】
ステップＳ２３からステップＳ２４に移行する工程において、脱着片支持部材３２は点線で示す位置３２１から実線で示す位置位置３２２に移動することは前記に説明したとおりであるが、この移動におけるフィルム脱着片２０の作用について、図５及び図１０により説明する。図１０は、図９のステップＳ２４における位置３２１、３２２に脱着片支持部材３２がある場合の、フィルム脱着片２０と、尾端フィルムＥＦ又は新フィルムＮＦとを収容したパトローネ１０のスプール軸１７の軸芯に沿った断面を模式的に示した図である。
【００８０】
図１０（ａ）においては、フィルム脱着片２０の案内基部２０ｂ１及び尾端フィルムＥＦが係止部材１４と押さえリブ１５との間に介在する。案内基部２０ｂ１は図５に示すように幅広に形成されているので、フィルム脱着片２０は係止部材１４に乗っており、中央部において、押さえリブ１５により上から押さえられているので、中央部が下方に撓む。このようなフィルム脱着片２０の変形により、尾端フィルムＥＦは、フィルム脱着片２０によりすくい上げられて、係止部材１４から確実に引き離される。従って、案内基部２０ｂ１を形成するスリットの幅Ｘ１は、一対の係止部材１４の内側壁間の間隔Ｍに対して、Ｘ１＜Ｍであることが望ましい。
【００８１】
図１０（ｂ）においては、フィルム脱着片２０の案内先端部２０ｂ２が係止部材１４と押さえ部材１５とが対向する位置にある。
【００８２】
新フィルムＮＦをパトローネ１０に挿入する工程においては、フィルム脱着片２０と係止部材１４間の間隔を広く形成し、新フィルムＮＦの挿入をスムーズにすることが望ましい。このために、案内先端部２０ｂ２が、押さえリブ１５側に待避するようにフィルム脱着片２０が形成されている。すなわち、案内先端部２０ｂ２を形成するスリットの幅Ｘ２と押さえリブ１５の幅Ｔと一対に係止部材１４の外側壁間の間隔Ｎとが、Ｔ＜Ｘ２＜Ｎの関係にあるようにフィルム脱着片２０及びスプールが形成される。スリット幅Ｘ２が一対の係止部材１４の外側壁間の間隔Ｎより小であるという条件は、新フィルムＮＦの挿入時に、フィルム脱着片２０が係止部材１４の上に確実に乗って、新フィルムＮＦを案内し、新フィルムＮＦの挿入を円滑にするためである。
【００８３】
前記に説明した尾端フィルムＥＦのデタッチ及び新フィルムＮＦのアタッチを行う工程においては、パトローネ１０とフィルム脱着片２０とは、図５に示すように、スプール軸１７の軸芯の位置がＰ１からＰ２に移動するように、フィルム脱着片２０が移動する。フィルム脱着片２０のこのような移動は、脱着片支持部材３２を図９における位置３２１から３２２に移動させることにより実行される。すなわち、脱着片支持部材３２から手を離したときに、ロック部材３７により脱着片支持部材３２をロックすることにより、脱着片支持部材３２は、位置３２１から３２２に移動して図８（ｂ）の状態で停止する。
【００８４】
脱着ユニット３０は図１１に示す治具４０に据え付けられる。前記した新フィルムＮＦのアタッチは、治具４０に脱着ユニット３０を据え付けることにより実行される。
【００８５】
治具４０は、ギヤユニット４２、４３、スプール駆動軸４４、上ローラ４５及びフィルムガイド４６を有し、これらは台４１に取り付けられる。
【００８６】
上ローラ４５は、脱着ユニット３０の下ローラ３８とともに、フィルム送りローラを構成する。
【００８７】
治具４０に脱着ユニット３０を装着する場合、上ローラ４５が上方の待避位置にある状態で、脱着ユニット３０を据え付け、その後に、アーム４７を旋回させて上ローラ４５を下降させて脱着ユニット３０の下ローラ３８に接触させる。図１１（ｂ）は、脱着ユニット３０の治具４０に装着した状態を示す。図５及び図９に示したデタッチ及びアタッチ工程は、脱着ユニット３０の図１１（ｂ）に示すように装着した状態で実行され、図１１（ｂ）の状態では、図示しないモータによりギヤユニット４２、４３を駆動することにより、スプール駆動軸４４、上ローラ４５が回転して、フィルムがパトローネ１０に巻き込まれる。
【００８８】
以上尾端フィルムＥＦのデタッチ及び新フィルムＮＦのアタッチを行う望ましい実施形態の例について説明したが、さらに望ましい実施形態の条件について、以下に説明する。
（１）フィルム脱着片の厚み
フィルム脱着片２０は、ポリエステルフィルム等の可撓性フィルムで形成されるが、０．１〜０．３ｍｍの厚みを有することが望ましい。０．１ｍｍよりも薄いと、フィルム脱着片２０のこしが十分でなく、挿入性や案内性能が低下する。また、０．３ｍｍよりも厚いと、テレンプ１６のパイルを変形させてテレンプ１６の遮光性を低下させる可能性がある。
（２）フィルム脱着片の形状
フィルム脱着片２０が、図３、４のステップＳ３からＳ６のように、パトローネ１０内にあるときは、基部２０ａが、出入部１１ａの位置にあり、テレンプ１６と接触している。従って、テレンプ１６のパイルがフィルム脱着片２０により変形を受けることになる。フィルム脱着片２０をパトローネ１０から取り去った後に該変形が残ると、テレンプの遮光性が低下して光漏れが生ずる場合がある。このような現象を防止するために、フィルム脱着片２０とテレンプ１６との接触面積をできるだけ小さくすることが望ましい。
【００８９】
図１２は、フィルム脱着片２０の実効幅を小さくすることにより該接触面積を小さくしたフィルム脱着片２０の例である。
【００９０】
図１２（ａ）は、基部２０ａに外側から弧状の切り込み２０ｃ１をつけた例でり、図１２（ｂ）は、基部２０ａに外側からスリット２０ｃ２を設けた例であり、図１２（ｃ）は、基部２０ａの中にスリット２０ｃ３を設けた例であり、図１２（ｄ）は、基部２０ａの中に円形の穴２０ｃ４を設けた例である。このように、フィルム脱着片２０の実効幅を小さくしてテレンプ１６との接触面積を小さくすることにより、テレンプ１６からの光漏れをなくすることができる。
（３）フィルム脱着片の形状
図１３は、フィルム脱着片２０をパトローネ１０内に挿入した場合に想定されるテレンプ１６のパイルの変形を模式的に示した図である。
【００９１】
フィルム脱着片２０は図１３（ａ）に示すように、（たとえば図３のステップＳ４におけるように）パトローネ１０内に保持されているときには、テレンプ１６に接触する位置において湾曲する。その結果、テレンプ１６のパイルの挿入方向Ｗの前方側部は、フィルム脱着片２０により圧迫されて強く変形する。この変形がフィルム脱着片２０を抜き取った後にも残留し、光漏れを起こす場合がある。また、新フィルムをパトローネ１０内に挿入する際に、挿入抵抗が大きくなって、挿入がスムーズに行われなくなる場合がある。
【００９２】
これを防止するには、図１３（ｂ）のようにフィルム脱着片２０がテレンプ１６に接触する部分において湾曲せず、直線状であることが望ましい。
【００９３】
図１４は、フィルム脱着片２０の基部２０ａをテレンプ１６に直線状で接触させる例を示す。
【００９４】
図１４（ａ）、（ｂ）は、フィルム脱着片２０を基部２０ａとパトローネ内案内部２０ｄに分離し、これらを連結片２０ｅで連結した例である。連結片２０ｅは、図１４（ａ）では、フィルム脱着片２０の厚みＶ１よりも小さな厚みＶ２を有するフィルムで構成され、図１４（ｂ）ではフィルム脱着片２０の幅Ｖ３よりも狭い幅Ｖ４の連結片２０ｅで構成される。また、図１４（ｃ）では、基部２０ａとパトローネ内案内部２０ｄの境界を薄肉部２０ｆとしている。さらに。図１４（ｄ）に示すように、図１２（ｂ）に示した切り込み２０ｃ２を設けた脱着片２０によっても、脱着片２０の望ましくない屈曲を避けることができる。このようにすることにより、図１４（ｅ）に示すように基部２０ａとパトローネ内案内部２０ｄとの境界部が、テレンプ１６に対して挿入方向前方の位置に位置づけられるようになり、フィルム脱着片２０のテレンプ１６との接触部が直線状になり、テレンプ１６のパイルの過度の変形が防止される。
【００９５】
図１５は、図１４に示したパイルの変形防止を実現した脱着の形状の例である。
【００９６】
図１５（ａ）は、基部２０ａとパトローネ内案内部２０ｄとの境界部２０ｚ（二重線で示す）に、挿入方向Ｗと反対方向に頂部が向いたＶ字状の切り込み２０ｇを設けた例である。図１５における境界部２０ｚは、たとえば、図１４に示したような手段により屈曲しやすく形成される。この例では、フィルム脱着片２０は図１５（ａ）の下段に示すように、境界部２０ｚにおいて屈曲し、挿入方向Ｗと反対方向に切り込み２０ｇが突出する。
【００９７】
図１５（ｂ）は、境界部２０ｚに、挿入方向Ｗの方向に頂部が向いたＶ字状の切り込み２０ｈを設けた例である。この例では、フィルム脱着片２０は図１５（ｂ）の下段に示すように、境界部２０ｚにおいてフィルム脱着片２０が屈曲し、挿入方向Ｗに切り込み２０ｈが突出する。
【００９８】
図１５（ｃ）は、境界部２０ｚを図１４（ａ）〜（ｃ）に示すように、屈曲しやすく形成した例である。この例では図１４（ｃ）の下段に示すように、境界部２０ｚにおいて突出部は形成されない。
【００９９】
図１５に示したフィルム脱着片２０のうち、図１５（ａ）に示すものが次に説明するように最も望ましい。
【０１００】
境界部２０ｚにおいて屈曲するようにした場合、パトローネ内案内部２０ｄが図１５（ｂ）（ｃ）の下段に示すように、垂れ下がりやすくなり、その結果として、フィルム脱着片２０の先端が確実にスプール１７の挿入スリットに案内されず、フィルム脱着片２０の挿入がスムーズでなくなる場合がある。図１５（ｂ）（ｃ）に示す例は、このような挿入性の低下を示すが、図１５（ａ）では、このような挿入性の低下がきわめて小さい。すなわち、突出部２０ｇが、パトローネ内の尾端フィルムに押さえられ、突出部２０ｇに矢印Ｙで示す力が作用する結果、フィルム脱着片２０の剛性が増加して、図１５（ａ）の下段に示すように垂れ下がりが軽減され、フィルム脱着片２０がスムーズ、かつ、確実に挿入される。（４）フィルム脱着片の形状
フィルム脱着片２０をパトローネ１０に挿入する際に、フィルム脱着片２０の先端を出入部１１ａにスムーズに挿入できるようにするために、フィルム脱着片２０の先端が尾端フィルムＥＦに沿って進行することが望ましい。
【０１０１】
このために、フィルム脱着片２０の先端部２０ｊの形状を、図１６に示すように、上方に湾曲させることが望ましい。このような形状により、フィルム脱着片２０はその挿入時に、出入部１１ａに接触することなく、スムーズに挿入される。このようなフィルム脱着片２０のスムーズな挿入を確保するための形状としては、図１６（ａ）のように、先端部を湾曲させる他に、図１６（ｂ）に示すように、基部２０ａに対して、案内部２０ｂを曲げるものもある。脱着片２０の先端部側にこのような屈曲を与えることにより、スプールのスリットへの脱着片２０の挿入もスムーズに行われる。
（５）スプールの形状
パトローネに新フィルムを装着する作業は、前記に説明したように、尾端フィルムが残留しているパトローネを用いて行われる場合と、尾端フィルムが残留していないリユースパトローネを用いて行われる場合とがある。以下、このような尾端フィルムが残留していないパトローネを空パトローネという。
【０１０２】
図１７は、スプールの係止部材及び押さえリブの望ましい例を示す。空パトローネに新フィルムを装填する場合に、新フィルムの挿入をスムーズにするために、係止部材１４と押さえリブ１５とがオーバーラップしないようにする事が望ましい。すなわち、パトローネを基準にして設定された基準点Ｒから、係止部材１４の頂部に引いた水平線Ｌ１までの距離Ｈ１と、押さえリブ１５の頂部に引いた水平線Ｌ２までの距離Ｈ２とが、Ｈ１＜Ｈ２の関係にあるように係止部１４及び押さえリブ１５を形成する。なお、Ｈ２−Ｈ１の値は０．２ｍｍ以下、０ｍｍ以上であることが望ましい。なお、図示の例では、基準点Ｒを係止部材１４側にとっているが、基準Ｒ点を押さえリブ１５側にとった場合には、前記関係は逆になる。また、Ｈ１、Ｈ２を正負を含む値とし、上方を正としたときは、基準点Ｒの位置如何に関わらず、前記大小関係で、係止部材１４と押さえリブ１５との関係が定義される。
（６）脱着ユニット
脱着ユニット３０には、図１８に示すように、パトローネ１０を押さえ、パトローネ１０を一定位置に保持するパトローネ押さえ部材３９を設けることが望ましい。パトローネ押さえ部材３９は、図示のように、パトローネ１０を押さえ、一定位置に保持する押さえ位置と（図１８（ａ））、開いてパトローネ１０の脱着を可能にする位置（図１８（ｂ））とに回転可能に軸３９ａで支持されている。パトローネ押さえ部材３９は、図１８（ａ）の位置で、パトローネ１０の出入部１１ａ（図２に示す）が水平になるように、パトローネ１０を押さえる。なお、押さえ部材３９には、図１８（ｃ）に示すようにパトローネ１０の回転を阻止するためにゴムからなる摩擦部材３９ｂを設けることが望ましい。
（７）係止爪
図９のステップＳ２１において行われる作業は、尾端フィルムＥＦを係止爪３４ｂに係止させるものであるが、この作業が終了したときに、作業者がフィルム保持部材３４から手を離す結果、フィルム保持部材３４がバネ３４ａの付勢力で移動する。この際に、尾端フィルムＥＦのパーフォレーションが破壊される場合がある。これを防止するために、係止爪３４ｂの水平断面（フィルム係止時おけるフィルム面に平行な面に沿った断面）を図１９に例示するようなものとすることが望ましい。すなわち、係止爪３４ｂのフィルムを引っ張る側が、角部とならないように湾曲していることが望ましく、図１９（ａ）のようなかまぼこ型または図１９（ｂ）のような三日月型等がある。
（８）フィルム保持部材のストロークエンド
フィルム保持部材３４はバネ３４ａにより付勢された、ユニット枠３１の側壁に突き当たって停止するが、この停止位置、すなわちフィルム保持部材３４のストロークエンドは、図２０に示すように設定されることが望ましい。図２０においては、尾端フィルムＥＦの右端が、パトローネ１０から抜けきらないでパトローネ１０により保持されている。フィルム保持部材３４の停止位置が図２０の位置よりも左方の場合には、尾端フィルム３４がその湾曲する性質により、飛び跳ねる可能性がある。図示のように、フィルム保持部材３４のストロークエンドにおいても、尾端フィルムＥＦがパトローネ１０により保持されていることにより、このような飛びはねが防止される。ただし、ストロークエンドにおいて、フィルム保持部材３４がパトローネ１０に近すぎると、尾端フィルムＥＦを除去しにくくなるので、フィルム保持部材３４とパトローネ１０間の間隔は、前記飛びはねが起こらない範囲で、大きいことが望ましい。
（９）フィルム送りローラの位置
脱着ユニット３０に設けられた下ローラ３８及び治具４０に設けられた上ローラ４５の脱着ユニット３０に対する位置は、フィルムの幅方向に関して中央位置であり、挿入方向Ｗに関して、パトローネ１０に近接していることが望ましい。新フィルム挿入時におけるフィルム送りローラとパトローネの位置関係を示す図２１により説明すると、挿入方向Ｗに関して、フィルム送りローラのニップ位置ＮＰがパトローネ１０の出入部１１ａの外側端１１ａ１から２０ｍｍ以下の範囲内にあることが望ましい。すなわち、図２１に示す距離Ｕが、Ｕ≦２０ｍｍであることが望ましい。なお、距離Ｕの下限は下ローラ３８をユニット枠３１に近づけることができる最小値である。
（１０）フィルム送りローラの解除タイミング
新フィルムをパトローネ１０に装着する工程は、フィルム先端部をスプールに係止する工程と、新フィルムをスプールに巻き取る工程とからなる。
【０１０３】
フィルム先端部をスプールに係止する工程では、フィルム脱着片２０がパトローネ内に収容されている状態で、上ローラ４５を回転駆動して、新フィルムＮＦをパトローネ１０に挿入することが行われる。
【０１０４】
新フィルムＮＦの先端部がスプールに係止された段階で、一旦、上ローラ４５の駆動が停止される。そして、停止とともに、上ローラ４５を上げて、フィルム送りローラのニップが解除される。
【０１０５】
該ニップの解除の後に、スプール軸１７を駆動回転して、新フィルムの巻き取りが行われる。このように、フィルム送りローラのニップを解除した後に、フィルム巻き取りを行うことにより、フィルムの画像形成部へのフィルム送りローラの接触がなくなり、フィルムの傷の発生や圧力かぶりの発生が防止される。
（１１）フィルム送りローラを構成する脱着ユニット側ローラ（下ローラ）の支持
脱着ユニット３０に設けられた下ローラ３８は、フィルム脱着片支持ユニット３２に取り付けられることが望ましい。このような取り付け構造により、脱着片支持部材の移動機構が単純化される。
【０１０６】
なお、下ローラ３８はフィルム脱着片支持ユニット３２に上下移動可能に取り付けられることが望ましい。このような取り付け構造により、脱着ユニット３０の治具４０への装着ときには、下ローラ３８と上ローラ４５との衝突を回避するとともに、下ローラ２８を新フィルムＮＦの先端部係止時にのみ、上ローラとニップするようにすることが容易になる。
【０１０７】
新フィルムＮＦの先端係止は、図９におけるステップＳ２３において行われ、新フィルムＮＦの巻き取りは、図９におけるステップＳ２４の状態で行われるが、前記のように、Ｓ２３においては、下ローラ３８が上方位置にあり、Ｓ２４では下方位置にあることが望ましい。このような下ローラ３８の変位機構を図２２に示す。
【０１０８】
図２２に示すように、下ローラ３８がバネＳＰにより下方に付勢され、カムＣＭに沿って移動した場合に、３８から３８’の位置に移動する。カムＣＭはユニット枠３１に設けられ、脱着片支持部材３２が左方の非作動位置にあるときは、下ローラ３８は３８’で示す下方位置に設定され、図９の第２作動位置３２２にあるときには、３８で示す上方位置に設定される。
（１２）フィルム送りローラの逆回転
新フィルムＮＦの先端部をスプールに係止した後に、フィルム巻き取りを開始する前に、フィルムの係止を確認することが望ましい。このために、図４のステップＳ７の段階で、上ローラ４５を逆回転（新フィルムＮＦを挿入方向Ｗと反対方向に送る回転）させて、新フィルムＮＦ先端部の係止を確認することが行われる。逆回転時に負荷が検知され、係止が確認された場合には、上下ローラ３８、４５間のニップを解除した後に、駆動軸４４でスプール軸１７を巻き取り方向に回転させて、フィルム巻き取りが行われる。
【０１０９】
フィルム先端部が係止されていない場合には、図４のステップＳ５〜Ｓ７までの工程が再度実行されて、新フィルムの先端部を係止することが実行される。
（１３）フィルム脱着作業
図３、４における尾端フィルムＥＦのデタッチ工程及び新フィルムＮＦのアタッチ工程を、連続した一連のものとして実行するフィルム脱着工程Ａとデタッチ工程とアタッチ工程とを分離して実行するフィルム脱着工程Ｂとが可能である。
【０１１０】
フィルム脱着工程Ａでは、外部からパトローネを供給する工程において、脱着ユニットと外部との間の遮断壁が開かれるので、新フィルムが装着される脱着ユニットを常に外部光から遮断され状態を維持することができない。
【０１１１】
従って、フィルム脱着工程Ａでは、暗室下で実行される。
他方、フィルム脱着工程Ｂでは、図３ステップＳ１からＳ４までの工程を明室下で実行することにより、尾端フィルムを除去し、脱着片を装着したパトローネを装着した脱着ユニットを多数用意して暗室に供給し、暗室内において、図４のステップＳ５以降を実行することにより、新フィルムをパトローネに装着することができるので、明室下で尾端フィルムのデタッチを実行し、新フィルムの装填のみを暗室下で行うことができる。
【０１１２】
なお、前記に説明したフィルム脱着作業には、作業者の手で行われる部分があるが、脱着片支持部材３２、フィルム保持３４、駆動部材３６の駆動等すべての作業を機械が行う自動作業とすることも可能である。
（１４）係止部材の形状
係止部材１４は図６に示すように、フィルムの先端部及びフィルム脱着片２０の先端部を案内する案内面としての傾斜面１４ｂを有する。傾斜面１４の斜度θは、フィルム及びフィルム脱着片２０をスムーズに案内するために、及びスプール内の狭いスペースに配置するために次の範囲の値に設定されることが望ましい。
１５°＜θ＜３５°
斜度θが前記範囲の下限値より小さいと、係止鈎１４ａの高さを十分に確保することが困難になり、上限値よりも大きいと、案内性能が低下してフィルム又はフィルム脱着片２０の進入が係止部材１４により阻止される可能性がある。
（１５）スプールの形状
尾端フィルムＥＦが残留しているパトローネ１０は、尾端フィルムＥＦによって、スプ−ルの姿勢が規制されるので、スプール軸１７のスリット１７ａ（図２参照）のパトローネ１０内における位相は、たとえば図３のステップＳ１のように一定している。従って、尾端フィルムＥＦが残留しているパトローネ１０にフィルム脱着片２０を挿入する際及びフィルム脱着片２０が装着されているパトローネ１０に新フィルムＮＦを挿入する際には、挿入はスムーズに行われる。
【０１１３】
ところが、空パトローネにおいては、パトローネ１０内において、スプールが自由に回転しうるために、新フィルムをパトローネ１０に装着する際に、フィルム先端部をスリット１７ａに挿入することができないという不都合が生ずる。
【０１１４】
この問題を解決するために、図２３に示すように、スプール軸１７のパトローネ外部に露出した軸端部に溝１７ｂを設け、パトローネ１０内におけるスプ−ルの位相を検知することができるようにすることが望ましい。溝１７ｂを利用して、スプールの位相を一定に設定することも可能であり、また溝１７ｂを図１１におけるスプール駆動軸４４との連結手段とすることも可能である。
【０１１５】
【発明の効果】
請求項１〜１９、２４〜４１のいずれか１項の発明により、画像部から切り離された尾端フィルムが残留しているパトローネから、尾端フィルムを除去し、新フィルムを装填する工程を、一連の作業として実行することが可能になり、しかも、市場から回収されたパトローネに対するフィルム装填が簡単な工程により実施できるので、市場に流通している、写真フィルムのパトローネのリユースを促進することが可能となる。
【０１１６】
請求項３、５、６、７、１３、１４、５、２４または３０の発明により、尾端フィルムの係止を確実に解除することが出来るとともに、新フィルムをスムーズに挿入することが可能になる。
【０１１７】
請求項４または請求項１２の発明により、フィルム脱着片のパトローネへの挿入を確実に行うことができ、且つ、パトローネのテレンプに対して影響を与えないので、尾端フィルムの除去及び新フィルムの装填をスムーズに行うことができる。
【０１１８】
請求項８、９、１０、１６、１７または１８の発明により、フィルム装填工程において、パトローネのテレンプに対する影響を抑制して、パトローネ光漏れを防止することが可能になる。
【０１１９】
請求項１１または１９の発明により、フィルム脱着片をスムーズ、且つ確実にパトローネに挿入することができる。
【０１２０】
請求項２０または請求項２１の発明により、フィルム脱着片を用いてフィルム装填を行うことは勿論、脱着片を用いないでフィルムを装填する作業を確実に行うことが可能になる。
【０１２１】
請求項２２の発明により、脱着片及びフィルムをスムーズ、且つ確実にパトローネに挿入することが可能になる。
【０１２２】
請求項２３の発明により、パトローネ内におけるスプールの位相が確認できるので、尾端フィルムが残留していないパトローネに対する脱着片またはフィルムの挿入を確実に行うことが可能になる。また、フィルム巻き取り用の駆動軸とスール軸との連結が容易になる。
【０１２３】
請求項３１の発明により、パトローネが脱着ユニットに安定して支持される。請求項３３の発明により、新フィルムをパトローネに装填する際に、フィルム先端をスムーズ、且つ確実に脱着片に沿わせてパトローネに挿入することができる。
【０１２４】
請求項３４の発明により、フィルム保持部材を後退させる際に、尾端フィルムのパーフォレーションが破壊されて破片が飛散する等の不都合が確実に防止される。
【０１２５】
請求項３８の発明により、フィルム装填を高効率で行うことが可能になる。
請求高３９の発明により、フィルムを確実に、パトローネに巻き取ることができるので、装填不良等の事故を防止することができる。
【図面の簡単な説明】
【図１】尾端フィルムを示す図である。
【図２】パトローネを示す図である。
【図３】本発明の実施の形態に係るフィルムのパトローネへの装填方法の工程を示す図である。
【図４】本発明の実施の形態に係るフィルムのパトローネへの装填方法の工程を示す図である。
【図５】本発明の実施の形態に係る脱着片の例を示す図である。
【図６】係止部材の係止解除動作を示す図である。
【図７】本発明の形態に係る脱着ユニットの例の斜視図である。
【図８】本発明の実施の形態に係る脱着ユニットの例の断面図である。
【図９】脱着ユニットの作動を示す工程図である。
【図１０】パトローネのスプール軸に沿った断面の模式図である。
【図１１】本発明の実施の形態に係るフィルム装填治具を示す図である。
【図１２】テレンプとの接触面積を小さくした脱着片の例を示す図である。
【図１３】テレンプのパイルの変形を説明する図である。
【図１４】テレンプに直線状で接触する脱着片の例を示す図である。
【図１５】パイルの変形を防止した脱着片の例を示す図である。
【図１６】挿入性を改良した脱着片の例を示す図である。
【図１７】スプールの係止部材及び押さえリブの好ましい例を示す図である。
【図１８】本発明の実施の形態に係る脱着ユニットの他の例を示す図である。
【図１９】係止爪の好ましい例を示す図である。
【図２０】フィルム保持部材のストロークエンドを説明する図である。
【図２１】新フィルム挿入時におけるパトローネとフィルム送りローラの位置関係を示す図である。
【図２２】下ローラの支持構造の好ましい例を示す図である。
【図２３】パトローネの好ましい例を示す図である。
【符号の説明】
１０  パトローネ
１４  係止部材
１５  押さえ部材
１６  テレンプ
１７  スプール軸
２０  脱着片
２０ａ  基部
２０ｂ  案内部
３０  脱着ユニット
３２  脱着片支持部材
３４  フィルム保持部材
３６  駆動部材
４０  フィルム装填治具
ＥＦ  尾端フィルム
ＮＦ  新フィルム
【図１】
2004246024.tif 000003
【図２】
2004246024.tif 000004
【図３】
2004246024.tif 000005
【図４】
2004246024.tif 000006
【図５】
2004246024.tif 000007
【図６】
2004246024.tif 000008
【図７】
2004246024.tif 000009
【図８】
2004246024.tif 000010
【図９】
2004246024.tif 000011
【図１０】
2004246024.tif 000012
【図１１】
2004246024.tif 000013
【図１２】
2004246024.tif 000014
【図１３】
2004246024.tif 000015
【図１４】
2004246024.tif 000016
【図１５】
2004246024.tif 000017
【図１６】
2004246024.tif 000018
【図１７】
2004246024.tif 000019
【図１８】
2004246024.tif 000020
【図１９】
2004246024.tif 000021
【図２０】
2004246024.tif 000022
【図２１】
2004246024.tif 000023
【図２２】
2004246024.tif 000024
【図２３】
2004246024.tif 000025